(57)【要約】【課題】  ２種類以上のフィルタの取り替えに特定の工具を必要とせず、簡便にしかも確実にこれらのフィルタをファンボックス上流側面又は下流側面に取り付けることができ、しかも第２フィルタは第１フィルタを装着したままでも単独に取り付けることが可能なフィルタの取付構造を提供する。【解決手段】  ファンボックス上流側面に第１フィルタを介してフィルタ外枠を取り付けるための取付構造であって、フィルタ外枠に第２フィルタが挿入可能となっており、ファンボックスの側面に回動レバーとこの回動レバーに垂設したフックが設置されており、フィルタ外枠の枠片に被掛止部が延設されており、ファンボックス上流側面とフィルタ外枠の間に第１フィルタを配置した後、回動レバーを開放状態としてフックを被掛止部に引掛け、回動レバーを回動させてフィルタ外枠を引きつけることにより、フィルタ外枠が固定されるようにした。【選択図】  図１
2011047603.tif 000002
【特許請求の範囲】
【請求項１】
ファンボックス上流側面又は下流側面に第１フィルタを介してフィルタ外枠を取り付けるための取付構造であって、
前記フィルタ外枠に第２フィルタが挿入可能となっており、前記ファンボックスの側面に回動レバーとこの回動レバーに垂設したフックが設置されており、前記フィルタ外枠の枠片に被掛止部が延設されており、
前記ファンボックス上流側面又は下流側面と前記フィルタ外枠の間に第１フィルタを配置した後、前記回動レバーを開放状態として前記フックを前記被掛止部に引掛け、前記回動レバーを回動させて前記フィルタ外枠を引きつけることにより、前記ファンボックス上流側面又は下流側面に第１フィルタを介して前記フィルタ外枠が固定されるようにしたことを特徴とするフィルタ外枠の取付構造。
【請求項２】
前記被掛止部は第１フィルタの側面を挟むようにして対向する２個の枠片に設けられていることを特徴とする請求項１記載のフィルタ外枠の取付構造。
【請求項３】
前記フィルタ外枠に第２フィルタが挿入されていることを特徴とする請求項１または２記載のフィルタ外枠の取付構造。
【発明の詳細な説明】
【技術分野】
【０００１】
この発明は、例えば病院の室内、或いは食品や半導体工場、精密機械工場、または薬品製造工場などのクリーンルーム等において、ファンボックス上流側面又は下流側面に２種類以上のフィルタを取り付けるための取付構造に関する。詳細には２種類以上のフィルタの取り替えに特定の工具を必要とせず、簡便にしかも確実に、これらのフィルタをファンボックス上流側面又は下流側面に取り付けることができるフィルタの取付構造に関する。
【背景技術】
【０００２】
従来、ファンボックス下流側面にフィルタを取り付けるための取付構造１としては、図７に示すように、ファンボックス本体２の下流側面に４〜６カ所のボルト取付用穴４を開けると共に、フィルタ枠３の上流側と下流側にも前記ファンボックス本体２の下流側の各ボルト取付用穴４の対応する位置にボルト取付用穴５とドライバー嵌挿用穴６を開けておき、ファンボックス本体２とフィルタ枠３のボルト取付用穴４、５の位置を合わせて、これら各ボルト取付用穴４、５に接続用ボルトネジ７を挿入しドライバーで締付固定することで、ファンボックス下流側面にフィルタが取り付けられるようにしたものがあった。
【０００３】
しかし、図７に示すに示す取付構造にあっては、ファンボックス本体２とフィルタ枠３とにそれぞれ各ボルト取付用穴４、５並びにドライバー嵌挿用穴６を開ける必要があり、その穴開け切削加工並びに位置合わせには相当の時間と労力とを要していた。また、ボルトネジ７の締め付けは、人の手加減で行うので、ボルトネジの締め付け加減が一定せず、フィルタ枠３上流側面に設けたパッキング９とファンボックス本体２の下流側面とに隙間が生じることがあり、エアーリークが発生することもあった。
【０００４】
また別のフィルタの取付構造１としては、図８に示すように、フィルタ枠３の断面形状に対応して設けたバネ係止部８を有する止め金具７をファンボックス本体２の下流側側面に回動可能に設置し、この止め金具７のバネ係止部８を回動させて前記フィルタ枠３に押し込むことにより、フィルタ枠３がファンボックス本体２の下流側面に密着固定されるようにしたものもある。
【０００５】
しかし、図８に示すに示す取付構造にあっては、ファンボックス本体２の下流側面にフィルタ枠３を押し付けながら、止め金具７のバネ係止部８を回動させてフィルタ枠３に押し込まなければならないので、大変な労力を要する。特にファンボックス本体２が天井面に設置されている場合には、長時間仰向けの作業姿勢を強いられることになる。このため、バネ係止部８のバネ力を弱めてバネ係止部８を軽い力でフィルタ枠３に押し込めるようにしたならば、フィルタ枠３のファンボックス本体２の下流側面への密着性が弱まり、フィルタ枠３上流側に設けたパッキング９とファンボックス本体２の下流側面とに隙間が生じることがあり、エアーリークが発生することもあった。
【０００６】
そこで、これらのフィルタの取付構造を改良する技術として、本出願人などにより、特許文献１のフィルタ枠の取付構造が提案されている。この取付構造は、図９に示すように、ファンボックス本体１２の下流側面にフィルタ枠１３を取り付けるための取付構造であって、前記ファンボックス本体１２の下流側側面に設置した回動レバー１４と、この回動レバー１４に垂設したフック１５とからなり、前記回動レバー１４を開放状態として前記フック１５をフィルタ枠１３にＳ字金具１６を介して引掛け、前記回動レバー１４を回動させて前記フィルタ枠１３を引き上げることにより、前記ファンボックス本体１２の下流側面にフィルタ枠１３が密着固定されるようにしたフィルタ枠の取付構造である。ここで、フィルタ枠１３は、折り加工されたフィルタＦと一体化されていて、ファンボックス本体１２の下流側面に取り付けられるようになっている。
【０００７】
しかし、特許文献１の取付構造にあっては、フィルタ枠１３を１個しか取付けることができない構造となっており、例えばフィルタ枠１３と一体化したフィルタＦが高性能フィルタである場合、その前にプレフィルタを設置して、このプレフィルタを時々交換する必要がある場合は、対応ができない構造となっていた。
【０００８】
また、特許文献２のフィルタ取付構造体も提案されている。この取付構造体は、図１０に示すように、ファン１とモーター２からなるファンユニット３を内蔵したチャンバ４と、前記ファンユニット３の下流側に配設される少なくとも１枚以上からなるフィルタ６と、このフィルタ６と前記チャンバ４の間に挿入される弾性を備えたパッキン５と、断面コ字形状の固定金具１１を有し、この固定金具１１は、一端にチャンバ４の表面に係合するチャンバ押え部８と、前記チャンバ４の表面に係合するチャンバ押え部８に設けられた保護材１３と、他端にフィルタ枠１２に係合するフィルタ押え部１０と、前記チャンバ４の側面と前記フィルタ６の側面に当接または近接する中央板部９とからなり、前記フィルタ６の側面に設けたＣ型形状のフィルタ枠１２と前記チャンバ４の表面との間を前記固定金具１１で挟持し、前記チャンバ４と前記フィルタ６を結合してなるフィルタ取付構造体である。また、図８では、２個のフィルタ６が重ねられてチャンバ４に取付けられている。
【０００９】
このように、この特許文献２の取付構造体にあっては、２個のフィルタ６が取付可能な構造となっているが、２個のフィルタのうち１個のフィルタを交換しようとする場合、２個とも取外す必要があり、例えば、２個のうち１個が高性能フィルタであり、その前にプレフィルタを設置して、プレフィルタを時々交換する必要がある場合は、２個とも取外す必要があり、その都度パッキン５も取り替えて、２個のフィルタの位置合わせも正確に行う必要があり、その分時間と労力が余分に要する構造となっていた。そもそも、２種類のフィルタを重ねて用いる場合は、２種類のフィルタの寿命が同じとはならず、濾過寿命の短いフィルタに合わせて交換作業が必要となることからして、特許文献２の取付構造体にプレフィルタなどの濾過寿命の短いフィルタを取付ける場合は、取付作業に時間と労力がかかり過ぎるという問題があった。
【００１０】
そこで、２種類以上のフィルタの取り替えに特定の工具を必要とせず、簡便にしかも確実にこれらのフィルタをファンボックス上流側面又は下流側面に取り付けることができ、しかも第２フィルタは第１フィルタを装着したままでも、単独に取り付けることが可能なフィルタの取付構造が求められていた。
【先行技術文献】
【特許文献】
【００１１】
【特許文献１】特開２００１−３３６８１５号公報
【特許文献２】特開２００７−８５５７６号公報
【発明の概要】
【発明が解決しようとする課題】
【００１２】
本発明は、上記問題を解決して、２種類以上のフィルタの取り替えに特定の工具を必要とせず、簡便にしかも確実にこれらのフィルタをファンボックス上流側面又は下流側面に取り付けることができ、しかも第２フィルタは第１フィルタを装着したままでも、単独に取り付けることが可能なフィルタの取付構造を提供することを課題とする。
【課題を解決するための手段】
【００１３】
上記課題を解決するための手段は、請求項１に係る発明では、
ファンボックス上流側面又は下流側面に第１フィルタを介してフィルタ外枠を取り付けるための取付構造であって、
前記フィルタ外枠に第２フィルタが挿入可能となっており、前記ファンボックスの上流側側面又は下流側側面に回動レバーとこの回動レバーに垂設したフックが設置されており、前記フィルタ外枠の枠片に被掛止部が延設されており、
前記ファンボックス上流側面又は下流側面と前記フィルタ外枠の間に第１フィルタを配置した後、前記回動レバーを開放状態として前記フックを前記被掛止部に引掛け、前記回動レバーを回動させて前記フィルタ外枠を引きつけることにより、前記ファンボックス上流側面又は下流側面に第１フィルタを介して前記フィルタ外枠が固定されるようにしたことを特徴とするフィルタ外枠の取付構造。
このフィルタ外枠の取付構造によって、２種類以上のフィルタの取り替えに特定の工具を必要とせず、簡便にしかも確実にこれらのフィルタをファンボックス上流側面又は下流側面に取り付けることができ、しかも第２フィルタは第１フィルタを装着したままでも、単独に取り付けることが可能なフィルタの取付構造を提供することが可能となる。
【００１４】
請求項２に係る発明では、前記被掛止部は第１フィルタの側面を挟むようにして対向する２個の枠片に設けられていることを特徴とする請求項１記載のフィルタ外枠の取付構造であり、第１フィルタの正確な位置合わせが可能となり、しかも位置合わせの労力が少なくなるという利点がある。
【００１５】
請求項３に係る発明では、前記フィルタ外枠に第２フィルタが挿入されていることを特徴とする請求項１または２記載のフィルタ外枠の取付構造である。
【発明の効果】
【００１６】
２種類以上のフィルタの取り替えに特定の工具を必要とせず、簡便にしかも確実にこれらのフィルタをファンボックス上流側面又は下流側面に取り付けることができ、しかも第２フィルタは第１フィルタを装着したままでも、単独に取り付けることが可能なフィルタの取付構造を提供することが可能となった。
【図面の簡単な説明】
【００１７】
【図１】本発明の取付構造を示し、（ａ）は回動レバーを回動させてフィルタ外枠を引きつけることにより、ファンボックス本体の上流側面に第１フィルタを介してフィルタ外枠を固定した状態を示す斜視図。（ｂ）はさらにフィルタ外枠に第２フィルタを挿入した状態を示す斜視図。
【図２】本発明の取付構造を示し、ファンボックス本体、第１フィルタ、フィルタ外枠及び第２フィルタの配置順を示す斜視図。
【図３】本発明の取付構造を示し、（ａ）はファンボックス本体の上流側面に第１フィルタの下流側面を設置した後に、フィルタ外枠を配置し、さらに回動レバーを開放状態とする状態を示す斜視図。（ｂ）はフィルタ外枠面を第１のフィルタの上流側面に設置した後に、回動レバーのフックをフィルタ外枠の被掛止部に引掛け、回動レバーを回動させてフィルタ外枠を引きつけることにより、ファンボックス上流側面に第１フィルタを介してフィルタ外枠を固定した状態を示す斜視図。
【図４】本発明の取付構造を示し、（ａ）はフィルタ外枠に第２フィルタの上部の内枠片を挿入する状態を示す斜視図。（ｂ）はその後、第２フィルタの上部の内枠片を上部に持ち上げながら、第２フィルタの下部の内枠片を挿入する状態を示す斜視図。
【図５】本発明の取付構造を示し、回動レバーを開放状態としてフックをフィルタ外枠の被掛止部に引掛けた状態を示す部分断面図。
【図６】本発明の取付構造を示し、回動レバーを回動させてフィルタ外枠を引きつけることにより、ファンボックス上流側面又は下流側面に第１フィルタを介してフィルタ外枠を固定した状態を示す部分断面図。
【図７】従来の取付構造を示す断面図。
【図８】従来の取付構造の別例を示す断面図。
【図９】従来の取付構造の別例を示す断面図。
【図１０】従来の取付構造の別例を示す断面図。
【発明を実施するための形態】
【００１８】
以下、本発明に係るフィルタ外枠の取付構造の好ましい実施の形態について詳細に説明する。
【００１９】
本発明のフィルタ外枠の取付構造２０は、図１（ａ）及び図２の斜視図に例示するように、ファンボックス本体２１の上流側面２２又は下流側面２２に第１フィルタ３０を介してフィルタ外枠４０を取り付けるための取付構造であって、前記フィルタ外枠４０に第２フィルタ５０が挿入可能となっており、前記ファンボックス本体２１の側面２３に回動レバー２４とこの回動レバー２４に垂設したフック２５が設置されており、前記フィルタ外枠４０の枠片４０ａに被掛止部４１が延設されており、前記ファンボックス本体２１の上流側面２２又は下流側面２２と前記フィルタ外枠４０の間に第１フィルタ３０を配置した後、前記回動レバー２４を開放状態として前記フック２５を前記被掛止部４１に引掛け、前記回動レバー２４を回動させて前記フィルタ外枠４０を引きつけることにより、前記ファンボックス本体２１の上流側面２２又は下流側面２２に第１フィルタ３０を介して前記フィルタ外枠４０が固定されるようにしたことを特徴としている。また図１（ｂ）の斜視図は、図１（ａ）の形態において、フィルタ外枠４０に第２フィルタ５０を挿入した状態を例示している。
【００２０】
本発明では、ファンボックスにはダクトが連結される場合もあり、この場合、フィルタ外枠４０は、第１フィルタ３０を介してダクトの吸込み口側面又は吹出口側面に取り付けられることになる。このため、本発明の取付構造２０によってフィルタ外枠４０が取り付けられる「ファンボックスの上流側又は下流側」の範疇には、ファンボックス本体２１（の上流側面２２又は下流側面２２）のほかに、ファンボックス本体の上流側又は下流側に連結されるダクト（の吸込み口側面又は吹出口側面）も含まれる。
【００２１】
また、第１フィルタ３０を介して、フィルタ外枠４０をファンボックス本体２１の上流側面（吸込み口側面）２２又は下流側面（吹出口側面）２２のどちらに取り付けるかは、目的に応じて選択することが可能であり、例えば、病院などで感染症の患者が収納されている室内の空気を室外に排出する場合や、感染症の患者が収納されているブース内の空気を室内に排出する場合は、中高性能フィルタ又は超高性能フィルタ（ＨＥＰＡ又はＵＬＰＡ）としての第１フィルタ３０を介して、フィルタ外枠４０をファンボックス本体２１の上流側面２２に取り付けて、フィルタ外枠４０にプレフィルタとしての第２フィルタ５０を挿入する形態を採用することが好ましい。また例えば、有害ガスで汚染された外部の空気を室内に導入する場合は、ガス除去機能を有する粒状物を担持したガス除去フィルタとしての第１フィルタ３０を介して、フィルタ外枠４０をファンボックス本体２１の下流側面２２に取り付けて、フィルタ外枠４０に粒状物の破砕粉を除去するアフターフィルタとしての第２フィルタ５０を挿入する形態を採用することが好ましい。本発明では、特に前者の形態において利用価値が高いと考えられるため、以下の説明では、「第１フィルタ３０を介して、フィルタ外枠４０をファンボックス本体２１の上流側面２２に取り付ける形態」を一例として説明する。
【００２２】
本発明のフィルタ外枠の取付構造では、図２の斜視図に例示するように、ファンボックス本体２３、第１フィルタ３０、フィルタ外枠４０、第２フィルタ５０の順に重ねて配置される。尚、第１フィルタ３０は枠付きフィルタが２種類重なったものも可能である。
【００２３】
図１及び図２に示す例では、第１フィルタ３０は、フィルタ枠３１が折り加工されたフィルタと一体化されていて、フィルタ枠３１の下流側面がファンボックス本体２１の上流側面２２に固定されるようになっている。このフィルタ枠３１の下流側面にはゴムなどの弾性体よりなるパッキン３３が配されていることが好ましく、フィルタ枠３１の下流側面をファンボックス本体２１の上流側面２２に固定したとき、このパッキン３３がフィルタ枠３１とファンボックス本体２１との間に介在して気密性を確保することができる。また、このフィルタ枠３１の上流側面３２にもゴムなどの弾性体よりなるパッキンが配されていることが可能であり、フィルタ外枠４０をフィルタ枠３１の上流側面３２に固定したとき、このパッキンがフィルタ外枠４０の下流側面とフィルタ枠３１の上流側面３２との間に介在して気密性を確保することができる。
【００２４】
図１及び図２に示す例では、フィルタ外枠４０の対向する２個の枠片４０ａに被掛止部４１が延設されている。具体的には、この被掛止部４１は１枚の金属板から枠片４０ａと被掛止部４１とが形成されるように折り曲げられて形成されており、その先端部の２箇所がさらに折り曲げられて先端部４１ａが形成されている。そして、この先端部４１ａは後述する回動レバー２４に垂設されるフック２５に掛止可能となっている。また、この被掛止部４１は第１フィルタ３０の両側面に当接するように、またはパッキンなどの介在物を介して接するように対向する２個の枠片４０ａに設けられていることが好ましい。このような形態であれば、２個の被掛止部４１が第１フィルタ３０の側面を挟みこむことにより、第１フィルタ３０の位置ずれ（図２では横ずれ）を確実に防止することができる。
【００２５】
また、図１（ｂ）、図２及び図４に例示するように、このフィルタ外枠４０は第２フィルタ５０が挿入可能に形成されており、第２フィルタ５０はフィルタ用濾材５１とこのフィルタ用濾材５１の周囲を補強する内枠５２とから形成されている。本発明のフィルタ外枠の取付構造では、このフィルタ外枠４０をファンボックス本体２１の上流側面に第１フィルタ３０を介して取り付けた後に、第２フィルタ５０をフィルタ外枠４０に挿入することが可能である。また、第２フィルタ５０を予めフィルタ外枠４０に挿入した後に、このフィルタ外枠４０をファンボックス本体２１の上流側面に第１フィルタ３０を介して取り付けることも可能である。
【００２６】
ファンボックス本体２１の側面２３にはそれぞれ４個の回動レバー２４が設置されている。図１及び図２に示す例では、この回動レバー２４は、ファンボックス本体２１の側面２３の上流側に設けられている。また図５及び図６に例示するように、回動レバー２４は、ファンボックス本体２１の側面２３の上流側にネジボルト２４ｄで固定された設置板２４ａとこれに回動軸２４ｂを介して回動するレバー部２４ｃとからなる。回動レバー２４の設置位置、個数は任意であるが、図１及び図２に示す例では、ファンボックス本体２１の対向する側面２３の上流側にそれぞれ２個ずつ間隔をおいて設置されている。
【００２７】
図５及び図６に例示するように、この回動レバー２４には線材をコ字型に折り曲げ加工してなるフック２５が垂設されている。フック２５はレバー部２４ｃの回動軸２４ｂから僅かに離れた位置に取り付けられていて、回動レバー２４の回動動作に伴い、その先端（コ字型部分）の位置が上下に移動するようになっている。
【００２８】
尚、このフック２５と前記回動レバー２４を組み合わせたものは、いわゆる「パチン錠」と称されるものである。「パチン錠」は、レバー部２４ｃが回動するときに支点となる回動軸２４ｂと、フック２５の取付位置２５ａの位置のズレを利用して固定されるようになっている。つまり図５の開放状態では、フック２５の取付位置２５ａが回動レバー２４の回動軸２４ｂよりも外側にあり、図６の固定状態では、フック２５の取付位置２５ａが回動レバー２４の回動軸２４ｂよりも内側（ファンボックス本体２１側）に位置している。
【００２９】
次に、フィルタ外枠４０の取付け方法の一例を説明する。図３（ａ）に例示するように、ファンボックス本体２１の上流側面２２に第１フィルタ３０のフィルタ枠３１の下流側面を合わせるようにして、ファンボックス本体２１の上に第１フィルタ３０を積み重ねる。次いで、フィルタ枠３１の上流側面３２にフィルタ外枠４０を被せるようにして、フィルタ枠３１にフィルタ外枠４０を積み重ねる。この際に、フィルタ外枠４０の被掛止部４１の先端部４１ａと、回動レバー２４に垂設されるフック２５の位置が合うように積み重ねる。このようにして、ファンボックス本体２１の上流側面２２とフィルタ外枠４０の間に第１フィルタ３０を配置する。
【００３０】
次に、図３（ｂ）に例示するように、ファンボックス本体２１の側面２３に設けた回動レバー２４を開放状態として前記フック２５を前記被掛止部４１の先端部４１ａに引掛け、次いで前記回動レバー２４を回動させて前記フィルタ外枠４０を引きつけることにより、前記ファンボックス本体２１の上流側面２２に第１フィルタ３０を介して前記フィルタ外枠４０を固定することができ、ファンボックス本体２１に、第１フィルタ３０及びフィルタ外枠４０を密着固定することができる。このようにして、本発明のフィルタ外枠の取付構造を形成することができる。
【００３１】
次に、図４（ａ）に例示するように第２フィルタ５０を準備する。次いで、この第２フィルタ５０の上部をフィルタ外枠４０の上部に差込みつつ、第２フィルタ５０の下部をフィルタ外枠４０に向かって押し込むようにする。次いで、図４（ｂ）に例示するように第２フィルタ５０を上に持ち上げるようにして、第２フィルタ５０の下部をフィルタ外枠４０の下部に挿入して、手を離せば、第２フィルタ５０の自重によって第２フィルタ５０が下に落ち込み、第２フィルタ５０の挿入が完成する。本発明では、このような倹飩式が好ましい。しかし、第２フィルタ５０の挿入方法は特に限定されず、特にボルトやネジなどで固定しなくても済む方式が好ましい。
【００３２】
本発明のフィルタ外枠の取付構造は、特にファンフィルタユニットに適用することが好ましく、例えば病院などで感染症の患者が収納されている室内の空気を室外に排出する場合や、感染症の患者が収納されている簡易な仕切りで仕切ったブース内の空気を室内に排出する場合に、中高性能フィルタ又は超高性能フィルタ（ＨＥＰＡ又はＵＬＰＡ）としての第１フィルタ３０を介して、フィルタ外枠４０をファンボックス本体２１の上流側面２２に取り付けて、フィルタ外枠４０にプレフィルタとしての第２フィルタ５０を挿入する形態を採用することが可能である。この場合、第１フィルタ３０を取り付けたままで、特に汚染の激しい第２フィルタ５０を時々交換することが可能となる。
【符号の説明】
【００３３】
２０  フィルタ外枠の取付構造
２１  ファンボックス本体
２２  上流側面又は下流側面
２３  ファンボックス本体の側面
２４  回動レバー
２４ａ  設置板
２４ｂ  回動軸
２４ｃ  レバー部
２４ｄ  ネジボルト
２５  フック
３０  第１フィルタ
３１  フィルタ枠
３２  フィルタ枠の上流側面
３３  パッキン
４０  フィルタ外枠
４０ａ  フィルタ外枠の枠片
４１  被掛止部
４１ａ  被掛止部の先端部
５０  第２フィルタ
５１  フィルタ用濾材
５２  フィルタ用濾材の周囲を補強する内枠
【図１】
2011047603.tif 000003
【図２】
2011047603.tif 000004
【図３】
2011047603.tif 000005
【図４】
2011047603.tif 000006
【図５】
2011047603.tif 000007
【図６】
2011047603.tif 000008
【図７】
2011047603.tif 000009
【図８】
2011047603.tif 000010
【図９】
2011047603.tif 000011
【図１０】
2011047603.tif 000012